(57)【要約】【課題】  ディスク記録装置の記録媒体の回転速度を高速化すると、スピンドルモータの発熱が増加し製品寿命が低下するという欠点と、媒体の回転による風圧の変動によりヘッドの浮上安定性が低下しヘッドの故障及び媒体の故障を増加させてしまう課題がある。また、回転時の騒音が大きくなると言う問題もある。【解決手段】  ディスク記録装置のアクセス頻度が少ない場合や使用温度が上昇した場合及び異常振動が発生した場合に、記録媒体の回転速度を低速化し、部品の故障を軽減させ製品寿命の向上と騒音を軽減する。また、バッテリー駆動時は媒体回転速度を低速化しバッテリー駆動時間を長くする。【選択図】図１
2006031888.tif 000002
【特許請求の範囲】
【請求項１】
データを記録するための回転媒体を有するディスク記録装置において、
動作温度や振動等の動作状態を検出する状態検出回路と、
前記状態検出回路の検出結果と予め定められたしきい値とから、記録媒体の回転速度を低下するようにスピンドルモータを制御する回転制御回路と
を備えたことを特徴とするディスク記録装置。
【請求項２】
データを記録するための記録用媒体を有するディスク記録装置のスピンドルモータの回転数制御方法において、
当該ディスク記録装置の動作温度や振動等の動作状態を検出して、
前記検出結果と所定値とを比較し、
前記検出結果が前記所定値より大きくなったときに、スピンドルモータの回転数が低下するように制御する
ことを特徴とするスピンドルモータの回転数制御方法。
【発明の詳細な説明】
【技術分野】
【０００１】
本発明は、データを記録するための記録用媒体と媒体を回転させるためのスピンドルモータとを有するディスク記憶装置に係り、高信頼性・省電力・低騒音の達成に好適なディスク記憶装置の制御技術に関する。
【背景技術】
【０００２】
近年、情報処理装置のデータ処理量の増加や高機能化が著しい進み、これに伴い、情報処理装置に内蔵するディスク記憶装置でも、高速化及び大容量化が進んでいる。これを実現するために、データを記憶する媒体回転速度の高速化やデータのリードライトヘッドの高速駆動が図られている。
【０００３】
上記のようなディスク記憶装置の高速化や大容量化に伴い、ディスク記憶装置の消費電力の増加傾向にあり、特に、バッテリ駆動を行っている携帯型の情報処理装置では、バッテリによる情報処理装置の動作時間が問題となっている。これを解決するために、特許文献１には、バッテリ残量により媒体の回転速度を低速化及び停止することにより使用電力を軽減する節電力駆動制御技術が開示されている。
【０００４】
【特許文献１】特開平６−４９７９号公報
【発明の開示】
【発明が解決しようとする課題】
【０００５】
ディスク記憶装置の高速化や大容量化により、上記消費電力の増加以外に、媒体を回転させるためのスピンドルモータの発熱が増加し、製品寿命が低下するという問題がある。また媒体の回転による風圧の変動によりヘッドの浮上安定性が低下しヘッドの故障及び媒体の故障を増加させてしまう。さらに回転時の騒音が大きくなると言う問題がある。
【０００６】
本発明は、上記課題を解決し、ディスク記憶装置の高速化によっても、高信頼性・省電力・低騒音の達成に好適なディスク記憶装置の制御技術を提供することを目的とする。
【課題を解決するための手段】
【０００７】
上記課題を解決するために、ディスク記録装置の記録媒体を回転させるスピンドルモータの回転数を制御するために、動作温度や振動等の動作状態を検出する状態検出回路と、前記状態検出回路の検出結果と予め定められたしきい値とからスピンドルモータを制御する回転制御回路とを備え、前記検出結果が前記所定のしきい値より大きくなったときに、スピンドルモータの回転数が低下するように制御するようにした。
【発明の効果】
【０００８】
本発明によれば高速化が必要でないアクセス頻度が少ない場合や使用温度が上昇した場合及び異常振動が発生した場合に媒体の回転速度を一時的に低速化することにより、媒体を回転させるためのスピンドルモータの発熱増加と媒体の回転による風圧によりヘッドの浮上安定性が低下することによるヘッドの故障及び媒体の故障を軽減し製品寿命を長寿命化できる。さらに回転による騒音も軽減できる。また、バッテリー駆動時についても媒体の回転速度を一時的に低速化することにより、バッテリー駆動時間を長くすることが可能となる。
【発明を実施するための最良の形態】
【０００９】
（実施例１）
図１は、本発明の第一実施形態を示す図である。
図１において、磁気ディスク装置等のディスク記憶装置は、データを記録するための記録用媒体１と、前記媒体を回転させるためのスピンドルモータ２と、データを記録再生するためのヘッド３と、前記ヘッドの位置を可変するためのアクチュエータ４とを含む構成になっている。ディスク記憶装置にデータ信号が入力されると、インターフェース制御回路７を介し、回転制御回路５が、記録媒体１の回転が定格回転速度となるようにスピンドルモータ２を制御する。一方、データ信号の情報から記録位置を読み取り位置決め制御回路６によりアクチュエータ４を介しヘッド３の位置を所望の位置へと制御する。このようにして、ディスク記憶装置では、記憶媒体の回転数制御とヘッドの位置制御をおこなっている。なお、本発明は、磁気ディスク装置以外に、光ディスク装置等の回転する記録媒体を有する記録装置であれば適用可能である。
【００１０】
スピンドルモータ２は、定格回転速度で記録媒体１を回転させているため、ディスク記憶装置が動作中に常に発熱をおこなっている。アクチュエータ４は、ディスク記憶装置のリードライト命令により動作し、発熱している。ディスク記憶装置は、通常密閉構造を有しており、スピンドルモータ２とアクチュエータ４の発熱により温度上昇し、特に高スピンドル回転数や短シーク時間を実現している高速ディスク記憶装置では、その温度上昇が大きい。
【００１１】
上記温度上昇を低減するために、図1の使用温度検出回路８は、ディスクエンクロージャー部の温度を検出し、検出温度がある一定以上の温度である場合には、記録媒体の回転速度が低速になるように、回転制御回路５へ信号を送る。なお、温度の検出は、エンクロージャー部以外に制御基板上に温度検出素子を設け、これにより検出をおこなうようにしてもよい。
【００１２】
他に、当該ディスク記憶装置をアクセスするホスト（図示せず）からのアクセス信号を受信するインターフェイス制御回路７を監視して、アクセス頻度を検出するアクセス頻度検出回路１０を設け、アクセス頻度がある一定以下の場合には、回転制御回路５へ信号を送り記録媒体の回転速度を低速へ制御するようにしてもよい。これによれば、ホストからのアクセスが長時間ない時に、スピンドルモータ2の発生熱が低下するので、ディスク記録装置の平均温度が低下することができる。
【００１３】
さらに、上記使用温度検出回路８やアクセス頻度検出回路１０と並列に、当該ディスク記録装置の振動検出回路9を設けてもよい。振動検出回路９は、一定以上の振動を検出した場合に、回転制御回路５へ信号を送り媒体の回転速度を低速へ制御する。このように、他の検出回路と並列に振動検出回路9を設けることにより、スピンドルモータの回転数を変更する回転制御回路5に複数の要因の検出信号を入力することにより、決め細かにスピンドルモータの回転数を制御することができる。
（実施例２）
図２により本発明の他の実施例を説明する。前記実施例1では、図3にしめす従来のディスク記録装置の制御部に、使用温度検出回路8や振動検出回路9やアクセス頻度検出回路10を付加する構成となっている。しかし、本発明はこのような構成に限定されるものではなく、図2にしめすような構成としてもよい。
【００１４】
つまり、当該ディスク記録装置をアクセスするホスト側（図示せず）の制御回路に、使用温度検出回路8や振動検出回路9やアクセス頻度検出回路10相当の使用温度検出回路108や振動検出回路109やアクセス頻度検出回路110を設け、これらディスク装置の動作状態の検出回路に、ホスト側のセンサの検出信号を入力する。そして、これらの検出回路（108、109、110）は、ホストがディスク記録装置をアクセスする方法と同様の方法（例えば、コマンドインターフェイス）で、スピンドルモータ2の回転数制御をおこなう。
【００１５】
このような構成により、ホスト内部の情報でスピンドルモータ2の回転数制御を行えるので、ホストで処理に連携した処理がおこなえるとともに、従来のディスク記録装置を使用する場合でも、同様の効果を得ることができる。
【００１６】
さらに、バッテリー駆動であることを示すバッテリー駆動信号をバッテリー駆動検出入力回路１１１で認識するとインターフェース制御回路１０７を介し回転制御回路５へ信号を送り媒体の回転速度を低速へ制御するようにしてもよい。これにより、ディスク記録装置の信頼性の向上を図れると共に、バッテリ駆動時の発熱を低減でき、安全性と部分的な温度上昇による不快感を抑止できる。
【００１７】
図４は本発明の回転制御回路の動作例を示すフローチャートである。
書込／読出情報が入力されるとアクセス頻度／使用温度／振動／バッテリー接続情報を判定し、アクセス頻度がある一定以上であり使用温度が設定温度以下で振動が設定振動以下でバッテリ接続がない場合は定格速度で媒体を回転させる。一方、アクセス頻度がある一定以下又は使用温度が設定温度以上又は振動が設定振動以下又はバッテリ接続がある場合は媒体を低速で回転させる。また、書込読出情報がない場合は媒体の回転を停止する。
【図面の簡単な説明】
【００１８】
【図１】本発明の第１の実施例の機能ブロック図
【図２】本発明の第２の実施例の機能ブロック図
【図３】従来のディスク記録装置の機能ブロック図
【図４】本発明の回転制御回路動作例のフローチャート
【符号の説明】
【００１９】
１：データを記録できる媒体、２：媒体を回転させるスピンドルモータ、
３：データを記録再生するためのヘッド、４：アクチュエータ、
５：媒体の回転速度を制御するための回転制御回路、
６：ヘッド位置を制御する位置決め制御回路、
７：データ信号と各制御回路を制御するインターフェース制御回路、
８：使用温度環境を検出する使用温度検出回路、
９：記憶装置に加わる振動を検出する振動検出回路、
１０：媒体への記録再生アクセス頻度を検出するアクセス頻度検出回路
【図１】
2006031888.tif 000003
【図２】
2006031888.tif 000004
【図３】
2006031888.tif 000005
【図４】
2006031888.tif 000006